(57)【要約】【課題】温めたられた内部の空気を外部の空気と素早く入れ替えることができ、これによって夏季の使用時の蒸れを防止して寝苦しさを解消することができる寝具を提供すること。【解決手段】キルティング生地２よりなる敷きパッド１において、キルティング生地２は、通気性を有する表地３及び裏地４の間にメッシュ生地５を介在させてキルティング加工により接結してなるものとし、表地３及び裏地４と、メッシュ生地５との間に空間７を形成するものとする。ここで、表地３及び裏地４の通気量が、それぞれ５０ｃｃ／ｃｍ２／秒以上であるのが好ましい。【選択図】図２
2015204874.tif 000002
【特許請求の範囲】
【請求項１】
キルティング生地よりなる寝具において、キルティング生地は、通気性を有する表地及び裏地の間にメッシュ生地を介在させてキルティング加工により接結してなるものとし、表地及び裏地と、メッシュ生地との間に空間を形成したことを特徴とする寝具。
【請求項２】
表地及び裏地の通気量が、それぞれ５０ｃｃ／ｃｍ２／秒以上であることを特徴とする請求項１記載の寝具。
【請求項３】
メッシュ生地は、経糸部とその経糸部よりも細い緯糸部とが網状に編成されてなるものとし、キルティング生地への圧力の作用でメッシュ生地に表地及び裏地が押し付けられた状態でも、表地及び裏地と、緯糸部との間に隙間を形成するようにしたことを特徴とする請求項１又は２記載の寝具。
【発明の詳細な説明】
【技術分野】
【０００１】
本発明は、キルティング生地よりなる敷きパッド等の寝具に関し、特に、夏季に使用されて好適な清涼感のある敷きパッド等の寝具に関するものである。
【背景技術】
【０００２】
従来の敷きパッドとして、表地及び裏地の間に綿状物を詰めてキルティング加工により接結してなるキルティング生地を用いたものがある（例えば、特許文献１参照。）。
また、ダブルラッセルと呼ばれる立体編物を使用したものもある（例えば、特許文献２参照。）。
【先行技術文献】
【特許文献】
【０００３】
【特許文献１】特開２００８−２９７６５７号公報
【特許文献２】登録実用新案第３０２７６９５号公報
【０００４】
ところで、表地と裏地の中間に綿状物を詰めた特許文献１に記載のものは、綿状物によりその中間層に熱気が溜まり易く、溜まった温かい空気も周囲が綿状なので外へ抜けにくくなっている。
また、立体編物を使用した特許文献２に記載のものは、立体編物によって中間に空気層が形成されるが、立体編物の上下の両面が別生地で挟まれるような構造になると、上下の通気孔が塞がれる状態になり、中間層の空気が横方向には良く流れるが、上下方向には流れにくくなる。
実際にこの種の敷きパッドの上に寝てみると、最初は多少涼しさを感じるが、じっと身体を動かさずにいると徐々に涼しさがなくなり、逆に、保温による暑さを感じるようになる。この現象は、立体編物の内部に形成された空間の空気が、移動できずに滞留し、断熱作用を発揮してしまうことに原因がある。
【０００５】
このため、上記特許文献１及び２に記載のものでは、体温で温められた内部の空気が外部に逃げずにこもってしまい、使用していると段々温かくなり、夏季の使用時に蒸れて寝苦しくなるという問題があった。
【発明の概要】
【発明が解決しようとする課題】
【０００６】
本発明は、上記従来の敷きパッドの有する問題点に鑑み、温めたられた内部の空気を外部の空気と素早く入れ替えることができ、これによって夏季の使用時の蒸れを防止して寝苦しさを解消することができる敷きパッド等の寝具を提供することを目的とする。
【課題を解決するための手段】
【０００７】
上記目的を達成するため、本発明の寝具は、キルティング生地よりなる寝具において、キルティング生地は、通気性を有する表地及び裏地の間にメッシュ生地を介在させてキルティング加工により接結してなるものとし、表地及び裏地と、メッシュ生地との間に空間を形成したことを特徴とする。
【０００８】
この場合において、表地及び裏地の通気量が、それぞれ５０ｃｃ／ｃｍ２／秒以上であるとすることができる。
【０００９】
また、メッシュ生地は、経糸部とその経糸部よりも細い緯糸部とが網状に編成されてなるものとし、キルティング生地への圧力の作用でメッシュ生地に表地及び裏地が押し付けられた状態でも、表地及び裏地と、緯糸部との間に隙間を形成することができる。
【発明の効果】
【００１０】
本発明の寝具によれば、該寝具を構成するキルティング生地が、通気性を有する表地及び裏地の間にメッシュ生地を介在させてキルティング加工により接結してなるものとされ、表地及び裏地とメッシュ生地との間に空間が形成されるので、メッシュ生地の通気孔が表地及び裏地で塞がれることがなくなって上下方向の空気の流れが良くなるのは勿論のこと、使用の際、使用者の身体の移動に伴いキルティング生地を上下方向に押すような圧力が作用すると、体温で温められたキルティング生地内部の空気が表地及び裏地を通して外部に押し出されるとともに、該圧力がなくなると、外部の空気が表地及び裏地を通してキルティング生地内部に吸い込まれ、温めたられたキルティング生地内部の空気を外部の空気と素早く入れ替えることができる。
これによって、夏季の使用時の蒸れを防止することができ、寝苦しさを解消することができる。
【００１１】
また、表地及び裏地の通気量が、それぞれ５０ｃｃ／ｃｍ２／秒以上であるとすることにより、表地及び裏地の通気性が良好となり、温めたられたキルティング生地内部の空気と外部の空気とをより素早く入れ替えることができる。
【００１２】
また、メッシュ生地は、経糸部とその経糸部よりも細い緯糸部とが網状に編成されてなるものとし、キルティング生地への圧力の作用でメッシュ生地に表地及び裏地が押し付けられた状態でも、表地及び裏地と、緯糸部との間に隙間を形成することにより、キルティング生地に使用者の身体の重みが作用した状態でも、通気性を確保することができる。
【図面の簡単な説明】
【００１３】
【図１】本発明の寝具の第１の実施形態に係る敷きパッドの全体斜視図である。
【図２】同敷きパッドの要部断面図で、（ａ）は圧力非作用状態図、（ｂ）は圧力作用状態図である。
【図３】本発明の寝具の第２の実施形態に係る敷きパッドの要部断面図で、（ａ）は圧力非作用状態図、（ｂ）は圧力作用状態図である。
【図４】変形例の説明図（１）である。
【図５】変形例の説明図（２）である。
【発明を実施するための形態】
【００１４】
次に、本発明の寝具の実施の形態を、図面に基づいて説明する。
【００１５】
〔第１の実施形態〕
図１には、本発明の寝具の第１の実施形態に係る敷きパッドの全体斜視図が示されている。
また、図２には、同敷きパッドの要部断面図で、圧力非作用状態図（ａ）及び圧力作用状態図（ｂ）がそれぞれ示されている。
【００１６】
＜敷きパッドの概略構成の説明＞
図１に示される敷きパッド１は、全体としての厚みが２〜４ｍｍ程度の比較的薄いものであり、敷き布団の上に敷いて寝たり、直接畳や床の上に敷いて寝たりするのに適した形状寸法にキルティング生地２を裁断し、裁断したキルティング生地２の外周縁にヘム加工等を施して縫製してなるものである。
【００１７】
＜キルティング生地の説明＞
図２（ａ）に示されるように、キルティング生地２は、表地３及び裏地４の間にメッシュ生地５を介在させてキルティング加工により接結してなり、該キルティング加工により、互いに隣り合うキルティング部６の間において、表地３が上向きに膨出されるとともに、裏地４が下向きに膨出されて、表地３とメッシュ生地５との間、及び裏地４とメッシュ生地５との間に、それぞれ空間７が形成されている。
【００１８】
＜表地及び裏地の説明＞
表地３及び裏地４は、いずれも通気性及び吸水性を有する布地からなり、例えば、綿、麻、絹等の天然繊維、アクリル、ポリエステル等の合成繊維、レーヨン等の再生繊維等を材料として、しじら織り布等の布の表面が多数の皺で波状（凹凸状）を呈する布を好適に用いることができる。
【００１９】
表地３及び裏地４の通気量は、ＪＩＳ  Ｌ  １０９６  一般織物試験方法  Ａ法（フラジール型通気性試験機法）でのテストで、それぞれ５０ｃｃ／ｃｍ２／秒以上であるのが好ましく、これによって表地３及び裏地４の通気性が良好なものとなる。
また、表地３及び裏地４については、吸水性が良好なものを用いることが好ましい。
【００２０】
＜メッシュ生地の説明＞
メッシュ生地５は、通気孔の大きさが１〜２０ｍｍ角（好ましくは２〜５ｍｍ角）となるように、例えば、ポリエチレン等の合成繊維を用いて単純なラッセル編みにより網状に編成してなるものである。
メッシュ生地５においては、経糸を鎖状に編んで比較的太い経糸部５ａが形成されるとともに、隣り合う経糸部５ａの間に、例えば、２本の緯糸を交差するように編み込んで経糸部５ａよりも細い緯糸部５ｂが形成されている。
そして、図２（ｂ）に示されるように、キルティング生地２を上下方向に押すような圧力の作用でメッシュ生地５に表地３及び裏地４が押し付けられた状態でも、表地３及び裏地４と、緯糸部５ｂとの間に隙間８を形成するようにしている。
メッシュ生地５としては、ダブルラッセルと呼ばれる立体編物のような本発明の形態で使用すると通気性が低くなるものを除いて、種々の公知のメッシュ生地を使用することができ、例えば、経糸と緯糸の交差部を融着して（編成せずに）メッシュ状とした網状部材を使用することもできる。この場合、経糸と緯糸の交差部を融着してメッシュ状とした網状部材は、断面が比較的平滑なものとなるため、表地３及び裏地４には、布の表面が多数の皺で波状を呈するしじら織り布等の表面が凹凸形状を呈する生地を用いることが好ましい。
【００２１】
＜作用効果の説明＞
以上に述べたような敷きパッド１によれば、該敷きパッド１を構成するキルティング生地２が、通気性を有する表地３及び裏地４の間にメッシュ生地５を介在させてキルティング加工により接結してなるものとされ、表地３及び裏地４とメッシュ生地５との間に空間７が形成されるので、メッシュ生地５の通気孔が表地３及び裏地４で塞がれることがなくなって上下方向の空気の流れが良くなるのは勿論のこと、使用の際、使用者の身体の移動に伴いキルティング生地２を上下方向に押すような圧力が作用すると、体温で温められたキルティング生地２内部の空気が表地３及び裏地４を通して外部に押し出されるとともに、該圧力がなくなると、外部の空気が表地３及び裏地４を通してキルティング生地２内部に吸い込まれ、所謂ポンプ的な動作を呈するものとなり、温めたられたキルティング生地２内部の空気を外部の空気と素早く入れ替えることができる。
ところで、キルティング加工そのものは、元々複数の生地全体を一体化させ、互いにズレをなくするとともに、皺などを防ぐために行われるが、本発明に係る敷きパッド１においては、当該効果に加え、縫製された部分とその縫製で囲まれた部分を作ることにより、断面があたかも薄い円盤状に形成されるため、単純に生地を重ねた場合と比べて、自然と表地３と裏地４との間に空間が形成される状態になる。そして、その上に人が寝ることで、当該空間の空気は、自然に外部に押し出され、少し身体を動かすことで、また、空間が形成される。このようにして、身体によって温められた空気は、滞留する部分がないため、一箇所に滞留することがなく、結果的に敷きパッド１の内部に熱がこもりにくくなるという効果を奏する。
これによって、夏季の使用時の蒸れを防止することができ、寝苦しさを解消することができる。
【００２２】
また、表地３及び裏地４として、しじら織り布が用いられており、しじら織り布は、表面に多数の皺があるため平たい部分が少なく、人の肌に触れる面積が平織りよりも少ないことから風通しが良くなり、さらっとした感触で清涼感を得ることができるとともに、表面が多数の皺で波状を呈しているので、メッシュ生地５との隙間も大きくなり、通気性がより良くなる。
また、キルティング生地２を上下方向に押すような圧力の作用でメッシュ生地５に表地３及び裏地４が押し付けられた状態でも、表地３及び裏地４と、緯糸部５ｂとの間に隙間８が形成されるので、キルティング生地２に使用者の身体の重みが作用した状態でも、通気性を確保することができる。
また、敷きパッド１の全体としての厚みが２〜４ｍｍ程度と薄くされているので、使用の際の取り扱いが容易であるとともに、収納時には嵩低く折り畳んでコンパクトに収納可能であるという利点がある。
【００２３】
〔第２の実施形態〕
図３には、本発明の寝具の第２の実施形態に係る敷きパッドの要部断面図で、圧力非作用状態図（ａ）及び圧力作用状態図（ｂ）がそれぞれ示されている。
なお、第２の実施形態の敷きパッド１１において、第１の実施形態の敷きパッド１と同一又は同様のものについては、図に同一符号を付すに留めてその詳細な説明を省略することとし、以下においては、第２の実施形態の敷きパッド１１に特有の部分を中心に説明することとする。
【００２４】
＜キルティング生地の説明＞
図３（ａ）に示される第２の実施形態の敷きパッド１１においても、キルティング生地１２は、表地１３及び裏地１４の間にメッシュ生地１５を介在させてキルティング加工により接結してなり、該キルティング加工により、互いに隣り合うキルティング部６の間において、表地１３が上向きに膨出されるとともに、裏地１４が下向きに膨出されて、表地１３とメッシュ生地１５との間、及び裏地１４とメッシュ生地１５との間に、それぞれ空間７が形成されている。
【００２５】
＜表地及び裏地の説明＞
表地１３及び裏地１４はいずれも、例えば、綿、麻、絹等の天然繊維や、アクリル、ポリエステル等の合成繊維、レーヨン等の再生繊維を材料として、通気性及び吸水性を有する表面が平坦な布からなるものである。
表地１３及び裏地１４の通気量や吸水性は、第１の実施形態における表地３及び裏地４と同様である。
【００２６】
＜メッシュ生地の説明＞
メッシュ生地１５は、通気孔の大きさが１〜２０ｍｍ角（好ましくは２〜５ｍｍ角）となるように、例えば、ポリエチレン等の合成繊維からなる経糸１５ａと緯糸１５ｂとを、例えば、平織りにより網状に織り成してなるものである。
【００２７】
＜作用効果の説明＞
以上に述べたような敷きパッド１１によっても、該敷きパッド１１を構成するキルティング生地１２が、通気性を有する表地１３及び裏地１４の間にメッシュ生地１５を介在させてキルティング加工により接結してなるものとされ、表地１３及び裏地１４とメッシュ生地１５との間に空間７が形成されるので、第１の実施形態の敷きパッド１と基本的に同じ作用効果を得ることができる。
【００２８】
以上、本発明の寝具について、敷きパッドを例にして、複数の実施形態に基づいて説明したが、本発明は上記実施形態に記載した構成に限定されるものではなく、各実施形態に記載した構成を適宜組み合わせる等、その趣旨を逸脱しない範囲において適宜その構成を変更することができるものである。
【００２９】
例えば、図４（ａ）に示されるように、第１の実施形態の敷きパッド１（図２（ａ）参照）におけるしじら織り布の裏地４を、表面が平坦な布の裏地１４としたり、図４（ｂ）に示されるように、第１の実施形態の敷きパッド１（図２（ａ）参照）におけるしじら織り布の表地３及び裏地４を、それぞれ表面が平坦な布の表地１３及び裏地１４としたりすることができる。
また、図４（ｃ）に示されるように、第２の実施形態の敷きパッド１１（図３（ａ）参照）における表面が平坦な布の表地１３を、しじら織り布の表地３としたり、図４（ｄ）に示されるように、第２の実施形態の敷きパッド１１（図３（ａ）参照）における表面が平坦な布の表地１３及び裏地１４を、それぞれしじら織り布の表地３及び裏地４としたりすることができる。
【００３０】
また、図２（ａ）（ｂ）に示される第１の実施形態の敷きパッド１における単純なラッセル編みにより作製されたメッシュ生地５に代えて、図５（ａ）（ｂ）に示されるように結び目のある結束網状のメッシュ生地２５を用いても良い。
このメッシュ生地２５は、同じ太さの経糸２５ａと緯糸２５ｂとを本目網や蛙又網等のように互いに結び合わせて結節部２５ｃを形成してなるものであり、図５（ｂ）に示されるように、該メッシュ生地２５に表地３及び裏地４が押し付けられた状態でも、表地３及び裏地４と、経糸２５ａ及び緯糸２５ｂとの間に隙間８を形成することができるようになっている。
このメッシュ生地２５を採用することによっても、キルティング生地２に使用者の身体の重みが作用した状態でも、通気性を確保することができる。
【産業上の利用可能性】
【００３１】
本発明の寝具は、温めたられた内部の空気を外部の空気と素早く入れ替えることができるという特性を有していることから、夏季において敷き布団の上に敷いて寝たり、直接畳や床の上に敷いて寝たりする敷きパッドの用途に好適に用いることができほか、掛け布団を含む、寝具一般の用途に広く用いることができる。
【符号の説明】
【００３２】
１，１１  敷きパッド（寝具）
２，１２  キルティング生地
３，１３  表地
４，１４  裏地
５，１５，２５  メッシュ生地
５ａ  経糸部
５ｂ  緯糸部
７  空間
８  隙間
【図１】
2015204874.tif 000003
【図２】
2015204874.tif 000004
【図３】
2015204874.tif 000005
【図４】
2015204874.tif 000006
【図５】
2015204874.tif 000007